(57)【要約】【課題】ノイズが発生することなく、マスター・スレーブ間の通信を可能とすること。【解決手段】スピーカー装置２は、スピーカー装置３から送信される信号を、オーディオ信号と、ＤＣ成分と、に分離するカップリングコンデンサ３１と、オーディオ信号を処理するオーディオ処理回路３２と、ＤＣ成分を検出するＤＣ検出回路３３と、前記オーディオ信号であるＡＣ成分を検出するＡＣ検出回路３４と、ＤＣ検出回路３２がＤＣ成分を検出し、ＡＣ検出回路３４が、ＡＣ成分を検出していない場合、オーディオ処理回路３２をミュートする第２制御部と、を備える。スピーカー装置３は、スピーカー装置３に送信する信号に、オーディオ信号を含ませていない間に、ＤＣ成分を付加、又は、解除する制御部と、を備える。【選択図】図２
2020141245.tif 000002
【特許請求の範囲】
【請求項１】
マスターとなる第１電子機器と、スレーブとなる第２電子機器と、を備える通信システムであって、
前記第２の電子機器は、
前記第１の電子機器から送信される信号を、オーディオ信号と、ＤＣ成分と、に分離するカップリングコンデンサと、
オーディオ信号を処理するオーディオ処理回路と、
前記ＤＣ成分を検出する第１検出回路と、
前記オーディオ信号であるＡＣ成分を検出する第２検出回路と、
前記第１検出回路が前記ＤＣ成分を検出し、前記第２検出回路が、前記ＡＣ成分を検出していない場合、前記オーディオ処理回路をミュートする第２制御部と、を備え、
前記第１電子機器は、
前記第２電子機器に送信する信号に、オーディオ信号を含ませていない間に、ＤＣ成分を付加、又は、解除する第１制御部と、
を備えることを特徴とする通信システム。
【請求項２】
前記第２制御部は、前記第２検出回路が、前記ＡＣ成分を検出している場合、前記オーディオ処理回路をミュートしないことを特徴とする請求項１に記載の通信システム。
【請求項３】
請求項１又は２に記載の第１電子機器。
【請求項４】
請求項１又は２に記載の第２電子機器。
【発明の詳細な説明】
【技術分野】
【０００１】
本発明は、マスターとスレーブとが通信を行う通信システム、及び、電子機器に関する。
【背景技術】
【０００２】
２つの電子機器（マスター、スレーブ）の間で、専用のケーブルを使用せずに、ステータスを受け渡す方法として、以下の方法がある。図３は、従来の通信システムの構成を示すブロック図である。
（１）マスターとなる機器は、アナログオーディオ出力ラインに、ステータスに応じたＤＣオフセットを付加する。
（２）スレーブとなる機器は、カップリングコンデンサを用いて、アナログオーディオ成分とＤＣオフセット成分とを分離する。
（３）分離されたオーディオ信号は、通常のオーディオ信号として、オーディオ処理回路に出力される。ＤＣオフセット成分は、ＤＣ検出回路に出力され、ＤＣ検出回路は、マスターから出力されたステータス信号を読み取る。ＤＣ検出回路は、例えば、マイクロコンピューター等である。
【０００３】
なお、特許文献１においては、一方の増幅器がマスターとなり、他方の増幅器がスレーブとなる発明が開示されている。
【先行技術文献】
【特許文献】
【０００４】
【特許文献１】特表２００８−５２１３５５号公報
【発明の概要】
【０００５】
上記の方法によれば、通信信号ライン（通信ケーブル）を削減することができる。しかしながら、マスターにおいてＤＣ成分を付加するとき、又は、ＤＣ成分を解除するときのＤＣレベル変動は、カップリングコンデンサを通過するため、オーディオ信号に足されて、ポップノイズ等のノイズが発生する。
【０００６】
本発明の目的は、ノイズが発生することなく、マスター・スレーブ間の通信を可能とすることである。
【課題を解決するための手段】
【０００７】
第１の発明の通信システムは、マスターとなる第１電子機器と、スレーブとなる第２電子機器と、を備える通信システムであって、前記第２の電子機器は、前記第１の電子機器から送信される信号を、オーディオ信号と、ＤＣ成分と、に分離するカップリングコンデンサと、オーディオ信号を処理するオーディオ処理回路と、前記ＤＣ成分を検出する第１検出回路と、前記オーディオ信号であるＡＣ成分を検出する第２検出回路と、前記第１検出回路が前記ＤＣ成分を検出し、前記第２検出回路が、前記ＡＣ成分を検出していない場合、前記オーディオ処理回路をミュートする第２制御部と、を備え、前記第１電子機器は、前記第２電子機器に送信する信号に、オーディオ信号を含ませていない間に、ＤＣ成分を付加、又は、解除する第１制御部と、を備えることを特徴とする。
【０００８】
本発明では、スレーブである第２電子機器の第２制御部は、第１検出回路がＤＣ成分を検出し、第２検出回路が、ＡＣ成分を検出していない場合、オーディオ処理回路をミュートする。これにより、ＤＣ変動が発生するときは、オーディオ処理回路は、ミュートされているため、オーディオ信号にノイズが発生することはない。このように、本発明によれば、ノイズが発生することなく、マスター・スレーブ間の通信を行うことができる。
【０００９】
第２の発明の通信システムは、第１の発明の通信システムにおいて、前記第２制御部は、前記第２検出回路が、前記ＡＣ成分を検出している場合、前記オーディオ処理回路をミュートしないことを特徴とする。
【００１０】
第３の発明の電子機器は、第１又は第２の発明の第１電子機器である。
【００１１】
第４の発明の電子機器は、第１又は第２の発明の第２電子機器である。
【発明の効果】
【００１２】
本発明によれば、ノイズが発生することなく、マスター・スレーブ間の通信を行うことができる。
【図面の簡単な説明】
【００１３】
【図１】本発明の実施形態に係る通信システムの構成を示すブロック図である。
【図２】通信システムの処理動作を示すシーケンス図である。
【図３】従来の通信システムの構成を示すブロック図である。
【発明を実施するための形態】
【００１４】
以下、本発明の実施形態について説明する。図１は、本発明の実施形態に係る通信システム１を示すブロック図である。図１に示すように、通信システム１は、音楽を再生するスピーカー装置２、３を備える。スピーカー装置２（第１電子機器）が、マスターとなり、スピーカー装置３（第２電子機器）が、スレーブとなる。
【００１５】
スピーカー装置２は、図示しないが、スピーカー装置２の各部を制御する制御部（第１制御部）を備える。制御部は、例えば、マイクロコンピューターである。スピーカー装置３は、カップリングコンデンサ３１、オーディオ処理回路３２、ＤＣ検出回路３３、ＡＣ検出回路３４、図示しない制御部を備える。カップリングコンデンサ３１は、スピーカー装置３から送信される信号を、オーディオ信号と、ＤＣ成分と、に分離する。オーディオ処理回路３２は、オーディオ信号を処理する。ＤＣ検出回路３３（第１検出回路）は、ＤＣ成分を検出する。ＡＣ検出回路３４（第２検出回路）は、オーディオ信号であるＡＣ成分を検出する。制御部（第２制御部）は、スピーカー装置３を構成する各部を制御する。制御部は、例えば、マイクロコンピューターである。
【００１６】
スピーカー装置２の制御部は、スピーカー装置３に送信する信号に、オーディオ信号を含ませていない間に、ＤＣ成分を付加、又は、解除する。スピーカー装置３の制御部は、ＤＣ検出回路３２がＤＣ成分を検出し、ＡＣ検出回路３３が、ＡＣ成分を検出していない場合、オーディオ処理回路３２をミュートする。また、スピーカー装置３の制御部は、ＡＣ検出回路３２がＡＣ成分を検出している場合、オーディオ処理回路３２をミュートしない。
【００１７】
図３は、通信システム１の処理動作を示すシーケンス図である。電子機器２（マスター機器）と電子機器３（スレーブ機器）とが、接続される前、電子機器３において、ＤＣ成分、ＡＣ成分とも検出されず、オーディオ処理回路３１は、ミュートされている。電子機器２と電子機器３とが接続されると（機器接続）、電子機器２の制御部は、電子機器３に送信する信号に、ＤＣオフセットを含ませて（ＤＣオフセット：あり）、電子機器３に送信する（ＤＣオフセット入力）。電子機器３のＤＣ検出回路３３は、ＤＣ成分を検出する（ＤＣ検出：あり）。このとき、オーディオ処理回路３１は、ミュートされているため、ＤＣ変動によるノイズは、遮断される。電子機器３の制御部は、ＤＣ検出回路３２により検出されたＤＣ成分に基づいて、所望の処理を実行する。
【００１８】
次に、電子機器２の制御部は、電子機器３に送信する信号に、オーディオ信号を含ませて（オーディオ信号：あり）、電子機器３に送信する（オーディオ信号入力）。電子機器３のＡＣ検出回路３４は、ＡＣ成分を検出する（ＡＣ検出：あり）。このとき、電子機器３の制御部は、オーディオ処理回路３２のミュートを解除する。これにより、オーディオ処理回路３２により、音楽が再生される。電子機器２の制御部は、電子機器３へのオーディオ信号の送信を停止する（オーディオ信号停止）。電子機器３のＡＣ検出回路３４は、ＡＣ成分を検出しなくなる（ＡＣ検出なし）。このとき、電子機器３の制御部は、オーディオ処理回路３１をミュートする（オーディオ信号：ミュート）。
【００１９】
電子機器２の制御部は、ＤＣオフセットを解除する（ＤＣオフセット：なし）（ＤＣオフセット解除）。電子機器３のＤＣ検出回路３２は、ＤＣ成分を検出しなくなる（ＤＣ検出：なし）。このとき、オーディオ処理回路３２は、ミュートされているため、ＤＣ成分によるノイズは、遮断される。
【００２０】
以上説明したように、本実施形態では、スレーブである電子機器３の制御部は、ＤＣ検出回路３３がＤＣ成分を検出し、ＡＣ検出回路３４が、ＡＣ成分を検出していない場合、オーディオ処理回路３２をミュートする。これにより、ＤＣ変動が発生するときは、オーディオ処理回路３２は、ミュートされているため、オーディオ信号にノイズが発生することはない。このように、本実施形態によれば、ノイズが発生することなく、マスター・スレーブ間の通信を行うことができる。
【００２１】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２２】
本発明は、マスターとスレーブとが通信を行う通信システム、及び、電子機器に好適に採用され得る。
【符号の説明】
【００２３】
１  通信システム
２  スピーカー装置（第１電子機器）
３  スピーカー装置（第２電子機器）
３１  カップリングコンデンサ
３２  オーディオ処理回路
３３  ＤＣ検出回路（第１検出回路）
３４  ＡＣ検出回路（第２検出回路）
【図１】
2020141245.tif 000003
【図２】
2020141245.tif 000004
【図３】
2020141245.tif 000005